(57)【要約】      （修正有）【課題】ウィルスを含む外部から飛散される飛沫が目、鼻、口に侵入するのを防止するフェイスシールドを提供する。【解決手段】フェイスシールド１０は、使用者の顔面を保護するために使用者の着用する眼鏡１１に略四角形状の樹脂製の透明フィルム１２が左右一対の取付具２０を介して取付けられるように構成される。左右一対の取付具は、眼鏡の左右一対のテンプル１１ａにそれぞれ取付け可能に左右対称に形成される。左右一対の取付具は、四角枠状に形成された外側枠体２１と、この外側枠体の長手方向の両端部に設けられた一対のテンプル用アーム２２、２３と、弾性変形可能な四角枠状の内側枠体２４と、弾性変形可能なフィルム用アーム２５とをそれぞれ有する。内側枠体及びフィルム用アーム間に透明フィルムの側縁を挿入したときに、内側枠体及びフィルム用アームが弾性変形することにより、内側枠体及びフィルム用アーム間に透明フィルムの側縁が係止するように構成される。【選択図】図１
0003227839.tif 000002
【実用新案登録請求の範囲】
【請求項１】
使用者の顔面を保護するために前記使用者の着用する眼鏡に略四角形状のプラスチック製の透明フィルムが左右一対の取付具を介して取付けられるように構成されたフェイスシールドであって、
前記左右一対の取付具が、前記眼鏡の左右一対のテンプルにそれぞれ取付け可能に左右対称に形成され、
前記左右一対の取付具は、
四角枠状に形成された外側枠体と、
前記外側枠体の長手方向の両端部に前記外側枠体の幅方向に延びて設けられ前記眼鏡のテンプルにそれぞれ弾性変形して係合可能な一対のテンプル用アームと、
前記外側枠体内を臨む方向から見たときに前記外側枠体内を埋めるように前記外側枠体からその長手方向に突設された弾性変形可能な四角枠状の内側枠体と、
前記内側枠体内を臨む方向から見たときに前記内側枠体内を埋めるように前記外側枠体からその長手方向に突設された弾性変形可能なフィルム用アームと
をそれぞれ有し、
前記内側枠体及び前記フィルム用アーム間に前記透明フィルムの側縁を挿入したときに、前記内側枠体及び前記フィルム用アームが弾性変形することにより、前記内側枠体及び前記フィルム用アーム間に前記透明フィルムの側縁が係止するように構成されたことを特徴とするフェイスシールド。
【請求項２】
前記一対のテンプル用アームが前記外側枠体の長手方向の両端外側に前記外側枠体の幅方向に延びてそれぞれ設けられ、前記内側枠体が前記外側枠体内にこの外側枠体の長手方向の両端に位置する一対の端片のうち一方の端片とともに前記外側枠体より小さい四角枠状に形成され、前記フィルム用アームが前記一方の端片から前記内側枠体内に前記外側枠体の長手方向に突設された請求項１記載のフェイスシールド。
【請求項３】
前記外側枠体、前記内側枠体及び前記フィルム用アームをこれらの厚さ方向から見たときに、前記外側枠体及び前記フィルム用アームが同一平面上に設けられ、かつ前記外側枠体及び前記フィルム用アームと前記内側枠体との間に前記透明フィルムの厚さと略同一の隙間が形成されるように前記内側枠体が設けられ、前記フィルム用アームの先端部の両面のうち前記内側枠体及び前記フィルム用アーム間に挿入された前記透明フィルムに対向する面に第１係止爪が突設され、前記内側枠体の先端片の両面のうち前記内側枠体及び前記フィルム用アーム間に挿入された前記透明フィルムに対向する面に第２係止爪が突設され、前記内側枠体の一対の側片のうち前記内側枠体及び前記フィルム用アーム間に挿入された前記透明フィルムに対向する面であって第１係止爪より前記一方の端片側に一対の第３係止爪がそれぞれ突設された請求項１記載のフェイスシールド。
【考案の詳細な説明】
【技術分野】
【０００１】
本考案は、医療従事者や対面で長時間の接客を伴う店舗の従事者等が自己の顔面を保護するために着用するフェイスシールドに関するものである。
【背景技術】
【０００２】
従来、医療従事者の頭部に装着されるフレームと、少なくとも医療従事者の顔前部と顔側面の一部とを覆い３次元画像に対して所定の偏光特性を有する偏光シールドとからなる手術用フェイスガードが開示されている（例えば、特許文献１（請求項１、段落［００１６］、段落［００５２］、段落［００５７］、図１、図１３）参照。）。この手術用フェイスガードは、フレームと、このフレームに支持される偏光シールドとからなる。フレームは、偏光シールドを支持した状態で装着者に固定するための部材であり、例えば眼鏡型に形成される。眼鏡型のフレームを装着すると、偏光シールドが装着者の目の前の顔前部から顔側部の一部であるこめかみまでを覆うように位置する。また、偏光シールドの上下の長さを長くして、顔前部の略全体と顔側部の一部とを覆う偏光シールドとすることができる。更に、フレームはヘッドバンドのように額に装着させるものであってもよい。
【０００３】
このように構成された手術用フェイスガードでは、偏光シールドにより顔前部の略全体と顔側部の一部とを覆って顔面を広範囲に覆うと、目のみならず、鼻や口といった粘膜が露出している部位も保護することが可能となる。
【０００４】
一方、可撓性を有する透明基材と、表面の凹部又は凸部からなる構造体が可視光の波長以下のピッチで複数設けられている透明樹脂層（モスアイ層）が積層されている顔面保護用透明フィルムが開示されている（例えば、特許文献２（請求項１、段落［００１５］〜段落［００１７］、段落［００６８］〜段落［００７０］、図１３）参照。）。この顔面保護用透明フィルムでは、透明基材とモスアイ層との屈折率が異なり、透明基材とモスアイ層の界面にうねりを有する。また、医療従事者等が顔面を保護するために使用する顔面マスク型の顔面保護用シールドの透明シールド材として上記透明フィルムが固着又は着脱自在に取付けられる。即ち、この顔面保護用シールドは、顔面マスクに透明フィルムがアイシールドとして固着された構造である。なお、顔面マスクは、着用者の鼻、口及び顎の一部を覆い、紐等で顔面に保持される。
【０００５】
このように構成された顔面保護用透明フィルムは、非常に強度の高い照明システム下でも反射光が少なく、光透過率（波長５５０ｎｍ）が９８．５％以上、特に９９％以上の透明性が顕著に優れた透明フィルムとなる。また、透明基材とモスアイ層の屈折率が異なり、更に、透明基材とモスアイ層の界面にうねりがあるので、モスアイ層では構造体を支持する基底層の厚さがうねりに沿って変化する。このため、顔面保護用透明フィルムの非装着者には、この透明フィルムに、基底層の表裏の反射光の干渉による虹色の反射模様が観察される。一方、この反射模様は、顔面保護用透明フィルムの装着者には観察されない。従って、顔面保護用透明フィルムを用いた顔面保護用シールドによれば、装着者にとっては視野が顕著に明るくなり、非装着者にとっては透明フィルムを視認することが可能となり、透明フィルムの取扱い性が向上する。
【先行技術文献】
【特許文献】
【０００６】
【特許文献１】国際公開第２０１６／１２５５５１号
【特許文献２】特開２０１６−２９４４６号公報
【考案の概要】
【考案が解決しようとする課題】
【０００７】
近年、感染症（例えば、新型コロナウィルス肺炎のCOVID-19）が大流行しており、医療従事者が感染者の治療や看護を行う際、感染者の咳やくしゃみ等により空気中に浮遊するウィルスを含む飛沫を医療従事者が鼻や口から吸い込むことにより、或いはウィルスを含む飛沫が医療従者の目に入ることにより、医療従事者が感染症にかかるおそれがあった。上記特許文献１に示された手術用フェイスガードのうち眼鏡型フレームで偏光シールドを支持するフェイスガードでは、視力矯正のための眼鏡をかけている装着者は２重に眼鏡をかける状態になり、耳の上が圧迫され若しくは重くなって耳が痛くなる不具合があった。また、上記特許文献１に示された手術用フェイスガードのうちヘッドバンドで偏光シールドを支持するフェイスガードでは、ヘッドバンドで頭が締め付けられるため、長時間ヘッドバンドを装着していると、頭が痛くなる問題点があった。更に、上記特許文献２に示された顔面マスクに透明フィルムがアイシールドとして固着された構造の顔面保護用シールドでは、目の周囲はウィルスを含む飛沫から透明フィルムにより保護されているけれども、医療用マスクではなく一般的なマスクを用いると、ウィルスを含む飛沫がマスクを通して鼻や口から侵入するおそれがあった。
【０００８】
本考案の第１の目的は、視力矯正のための眼鏡の使用者が着用しても耳への負担が僅かしか増加せず、また頭の締め付けによる頭痛が発生せずに、ウィルスを含む外部から飛散される飛沫が目、鼻又は口に侵入するのを防止できる、フェイスシールドを提供することにある。本考案の第２の目的は、視力矯正のための眼鏡の不使用者でも、レンズに度が入っていない眼鏡若しくはレンズを取外した眼鏡フレームを用いることにより、ウィルスを含む外部から飛散される飛沫が目、鼻又は口に侵入するのを防止できる、フェイスシールドを提供することにある。本考案の第３の目的は、取付具を極めてコンパクトに形成することができる、フェイスシールドを提供することにある。本考案の第４の目的は、透明フィルムが内側枠体及びフィルム用アーム間から抜けるのを確実に防止できる、フェイスシールドを提供することにある。
【課題を解決するための手段】
【０００９】
本考案の第１の観点は、図１〜図４に示すように、使用者の顔面を保護するために使用者の着用する眼鏡１１に略四角形状のプラスチック製の透明フィルム１２が左右一対の取付具２０，３０を介して取付けられるように構成されたフェイスシールド１０であって、左右一対の取付具２０，３０が、眼鏡１１の左右一対のテンプル１１ａ，１１ｂにそれぞれ取付け可能に左右対称に形成され、左右一対の取付具２０，３０は、四角枠状に形成された外側枠体２１，３１と、外側枠体２１，３１の長手方向の両端部に外側枠体２１，３１の幅方向に延びて設けられ眼鏡１１のテンプル１１ａ，１１ｂにそれぞれ弾性変形して係合可能な一対のテンプル用アーム２２，２３，３２，３３と、外側枠体２１，３１内を臨む方向から見たときに外側枠体２１，３１内を埋めるように外側枠体２１，３１からその長手方向に突設された弾性変形可能な四角枠状の内側枠体２４，３４と、内側枠体２４，３４内を臨む方向から見たときに内側枠体２４，３４内を埋めるように外側枠体２１，３１からその長手方向に突設された弾性変形可能なフィルム用アーム２５，３５とをそれぞれ有し、内側枠体２４，３４及びフィルム用アーム２５，３５間に透明フィルム１２の側縁を挿入したときに、内側枠体２４，３４及びフィルム用アーム２５，３５が弾性変形することにより、内側枠体２４，３４及びフィルム用アーム２５，３５間に透明フィルム１２の側縁が係止するように構成されたことを特徴とする。
【００１０】
本考案の第２の観点は、第１の観点に基づく考案であって、更に図５及び図９に示すように、一対のテンプル用アーム２２，２３，３２，３３が外側枠体２１，３１の長手方向の両端外側に外側枠体２１，３１の幅方向に延びてそれぞれ設けられ、内側枠体２４，３４が外側枠体２１，３１内にこの外側枠体２１，３１の長手方向の両端に位置する一対の端片２１ａ，２１ｂ，３１ａ，３１ｂのうち一方の端片２１ａ，３１ａとともに外側枠体２１，３１より小さい四角枠状に形成され、フィルム用アーム２５，３５が一方の端片２１ａ，３１ａから内側枠体２４，３４内に外側枠体２１，３１の長手方向に突設されたことを特徴とする。
【００１１】
本考案の第３の観点は、第１の観点に基づく考案であって、更に図５〜図１２に示すように、外側枠体２１，３１、内側枠体２４，３４及びフィルム用アーム２５，３５をこれらの厚さ方向から見たときに、外側枠体２１，３１及びフィルム用アーム２５，３５が同一平面上に設けられ、かつ外側枠体２１，３１及びフィルム用アーム２５，３５と内側枠体２４，３４との間に透明フィルム１２の厚さと略同一の隙間が形成されるように内側枠体２４，３４が設けられ、フィルム用アーム２５，３５の先端部の両面のうち内側枠体２４，３４及びフィルム用アーム２５，３５間に挿入された透明フィルム１２に対向する面に第１係止爪２５ａ，３５ａが突設され、内側枠体２４，３４の先端片２４ｃ，３４ｃの両面のうち内側枠体２４，３４及びフィルム用アーム２５，３５間に挿入された透明フィルム１２に対向する面に第２係止爪２４ｄ，３４ｄが突設され、内側枠体２４，３４の一対の側片２４ａ，２４ｂ，３４ａ，３４ｂのうち内側枠体２４，３４及びフィルム用アーム２５，３５間に挿入された透明フィルム１２に対向する面であって第１係止爪２５ａ，３５ａより一方の端片２１ａ，３１ａ側に一対の第３係止爪２４ｅ，２４ｅ，３４ｅ，３４ｅがそれぞれ突設されたことを特徴とする。
【考案の効果】
【００１２】
本考案の第１の観点のフェイスシールドでは、左側の取付具の内側枠体及びフィルム用アーム間に透明フィルムの側縁を挿入することにより、内側枠体及びフィルム用アーム間に透明フィルムの左側縁を係止させ、右側の取付具の内側枠体及びフィルム用アーム間に透明フィルムの側縁を挿入することにより、内側枠体及びフィルム用アーム間に透明フィルムの左側縁を係止させ、更に左側の取付具の一対のテンプル用アームを眼鏡の左側のテンプルに係止するとともに、右側の取付具の一対のテンプル用アームを眼鏡の右側のテンプルに係止したので、この眼鏡を例えば医療従事者が着用することにより、感染者の咳やくしゃみ等により空気中に浮遊するウィルスを含む飛沫が医療従事者の目、鼻又は口から侵入するのを防止できる。また、視力矯正のための眼鏡の使用者がその眼鏡にフェイスシールドを取付けても、フェイスシールドは極めて軽いので、耳への負担が僅かしか増加しない。また、従来のヘッドバンドで偏光シールドを支持するフェイスガードのように、ヘッドバンドで頭を締め付けることにより頭痛が発生することもない。更に、視力矯正のための眼鏡の不使用者の場合、レンズに度が入っていない眼鏡やレンズを取外した眼鏡フレームに上記フェイスシールドを取付けることにより、フェイスシールドを使用できる。
【００１３】
本考案の第２の観点のフェイスシールドでは、一対のテンプル用アームを外側枠体の長手方向の両端外側に外側枠体の幅方向に延びてそれぞれ設け、内側枠体を外側枠体内にこの外側枠体の長手方向の両端に位置する一対の端片のうち一方の端片とともに外側枠体より小さい四角枠状に形成し、フィルム用アームを一方の端片から内側枠体内に外側枠体の長手方向に突設したので、取付具を極めてコンパクトに形成することができる。
【００１４】
本考案の第３の観点のフェイスシールドでは、外側枠体、内側枠体及びフィルム用アームをこれらの厚さ方向から見たときに、外側枠体及びフィルム用アームを同一平面上に設け、かつ外側枠体及びフィルム用アームと内側枠体との間に透明フィルムの厚さと略同一の隙間が形成されるように内側枠体を設け、フィルム用アームの先端部の両面のうち透明フィルムに対向する面に第１係止爪を突設し、内側枠体の先端片の両面のうち透明フィルムに対向する面に第２係止爪を突設し、内側枠体の一対の側片のうち透明フィルムに対向する面であって第１係止爪より一方の端片側に一対の第３係止爪をそれぞれ突設したので、内側枠体及びフィルム用アーム間に透明フィルムを挿入したときに、この透明フィルムが第１〜第３係止爪により確実に保持される。この結果、透明フィルムが内側枠体及びフィルム用アーム間から抜けるのを確実に防止できる。
【図面の簡単な説明】
【００１５】
【図１】本考案実施形態のフェイスシールドを取付けた眼鏡を示すＡ矢視図である。
【図２】図４のＢ矢視図である。
【図３】図４のＣ矢視図である。
【図４】図１のＤ矢視図である。
【図５】左側の取付具を示す図６のＥ矢視図である。
【図６】図５のＦ矢視図である。
【図７】（ａ）は図５のＧ矢視図であり、（ｂ）は図５のＨ矢視図である。
【図８】（ａ）は図５のＩ−Ｉ線断面図であり、（ｂ）は左側の取付具を眼鏡の左側のテンプルに取付けかつ左側の取付具に透明フィルムを取付けた状態を示す（ａ）に対応する断面図である。
【図９】右側の取付具を示す図１０のＪ矢視図である。
【図１０】図９のＫ矢視図である。
【図１１】（ａ）は図９のＬ矢視図であり、（ｂ）は図９のＭ矢視図である。
【図１２】（ａ）は図９のＮ−Ｎ線断面図であり、（ｂ）は右側の取付具を眼鏡の右側のテンプルに取付けかつ右側の取付具に透明フィルムを取付けた状態を示す（ａ）に対応する断面図である。
【考案を実施するための形態】
【００１６】
次に本考案を実施するための形態を図面に基づいて説明する。図１〜図４に示すように、本考案のフェイスシールド１０は、使用者の顔面を保護するために使用者の着用する眼鏡１１に略四角形状のプラスチック製の透明フィルム１２が左右一対の取付具２０，３０を介して取付けられるように構成される。透明フィルム１２は、厚さ０．１ｍｍ〜０．３ｍｍ程度の透明なポリプロピレン、ポリエチレンテレフタレート、ポリエステル、塩化ビニル等のプラスチックフィルム等により形成される。なお、透明フィルム１２は、使用状況に合せて自由にカットして使用できるようになっている。
【００１７】
左右一対の取付具２０，３０は、眼鏡１１の左右一対のテンプル１１ａ，１１ｂにそれぞれ取付け可能に左右対称に形成される（図１及び図２）。また、左右一対の取付具２０，３０は、四角枠状に形成された外側枠体２１，３１と、外側枠体２１，３１の長手方向の両端部に外側枠体２１，３１の幅方向に延びて設けられた一対のテンプル用アーム２２，２３，３２，３３と、弾性変形可能な四角枠状の内側枠体２４，３４と、外側枠体２１，３１からその長手方向に突設された弾性変形可能なフィルム用アーム２５，３５とをそれぞれ有する。左右一対の取付具２０，３０は、この実施の形態では、ポリプロピレン、ポリカーボネート、ポリアセタール等のプラスチックの射出成形によりそれぞれ一体的に形成される（図１、図２、図５及び図９）。なお、取付具をプラスチックの射出成形により一体的に形成できない場合には、取付具を構成する各部品をプラスチックの射出成形によりそれぞれ形成した後に、これらの部品を接着することにより、取付具を作製してもよい。また、取付具は、プラスチックではなく、ステンレス鋼等の金属板のプレス加工により一体的に形成してもよい。このとき、取付具を金属板のプレス加工によりら一体的に形成できない場合には、取付具を構成する各部品をプレス加工によりそれぞれ形成した後に、これらの部品をスポット溶接等により溶着することにより、取付具を作製してもよい。
【００１８】
左側の取付具２０の四角枠状の外側枠体２１は、長手方向の両端にそれぞれ位置する一対の端片２１ａ，２１ｂと、これらの端片２１ａ，２１ｂの上端同士を接続する上片２１ｃと、一対の端片２１ａ，２１ｂの下端同士を接続する下片２１ｄとからなる（図１及び図５〜図８）。また、上記外側枠体２１は、この実施の形態では、左側の取付具２０を眼鏡１１の左側のテンプル１１ａに取付けたときに、上片２１ｃが下片２１ｄに対して眼鏡１１のレンズ１１ｃから離れる方向に所定量だけ平行移動させた略平行四辺形状に形成される。更に、一対の端片２１ａ，２１ｂのうち眼鏡１１のレンズ１１ｃから遠い側の一方の端片２１ａの厚さは、他方の端２１ｂ片、上片２１ｃ及び下片２１ｄの厚さより厚く形成される。
【００１９】
これに対し、右側の取付具３０の四角枠状の外側枠体３１は、左側の取付具２０の四角枠状の外側枠体２１と左右対称に形成される。即ち、右側の取付具３０の四角枠状の外側枠体３１は、長手方向の両端にそれぞれ位置する一対の端片３１ａ，３１ｂと、これらの端片３１ａ，３１ｂの上端同士を接続する上片３１ｃと、一対の端片３１ａ，３１ｂの下端同士を接続する下片３１ｄとからなる（図２及び図９〜図１２）。また、上記外側枠体３１は、この実施の形態では、右側の取付具３０を眼鏡１１の右側のテンプル１１ｂに取付けたときに、上片３１ｃが下片３１ｄに対して眼鏡１１のレンズ１１ｃから離れる方向に所定量だけ平行移動させた略平行四辺形状に形成される。更に、一対の端片３１ａ，３１ｂのうち眼鏡１１のレンズ１１ｃから遠い側の一方の端片３１ａの厚さは、他方の端片３１ｂ、上片３１ｃ及び下片３１ｄの厚さより厚く形成される。
【００２０】
左側の取付具２０の一対のテンプル用アーム２２，２３は、眼鏡１１の左側のテンプル１１ａにそれぞれ弾性変形して係合可能に構成される（図１、図４及び図８（ｂ））。また、一対のテンプル用アーム２２，２３が外側枠体の長手方向の両端外側に外側枠体２１の幅方向に延びてそれぞれ設けられる（図５及び図７）。具体的には、一対のテンプル用アーム２２，２３は、外側枠体２１の上片２１ｃの両端をそれぞれ上片２１ｃの長手方向に延ばした一対の突片２２ａ，２３ａから眼鏡１１の左側のテンプル１１ａを収容可能な空間２２ｂ，２３ｂ（図７）を作るように湾曲しながら下方に延びて形成される。図７（ａ）中の符号２２ｃは、一対のテンプル用アーム２２，２３のうち一方のテンプル用アーム２２の下端部に形成され、眼鏡１１の左側のテンプル１１ａを上記空間２２ｂにスムーズに導くための末広がり部であり、図７（ｂ）中の符号２３ｃは、一対のテンプル用アーム２２，２３のうち他方のテンプル用アーム２３の下端部に形成され、眼鏡１１の左側のテンプル１１ａを上記空間２３ｂにスムーズに導くための末広がり部である。
【００２１】
これに対し、右側の取付具３０の一対のテンプル用アーム３２，３３は、左側の取付具２０の一対のテンプル用アーム２２，２３と左右対称に形成される（図５及び図９）。即ち、右側の取付具３０の一対のテンプル用アーム３２，３３は、眼鏡１１の右側のテンプル１１ｂにそれぞれ弾性変形して係合可能に構成される（図２、図４及び図１２（ｂ））。また、一対のテンプル用アーム３２，３３が外側枠体３１の長手方向の両端外側に外側枠体３１の幅方向に延びてそれぞれ設けられる（図９及び図１１）。具体的には、一対のテンプル用アーム３２，３３は、外側枠体３１の上片３１ｃの両端をそれぞれ上片３１ｃの長手方向に延ばした一対の突片３２ａ，３３ａから眼鏡１１の右側のテンプル１１ｂを収容可能な空間３２ｂ，３３ｂ（図１１）を作るように湾曲しながら下方に延びて形成される。図１１（ａ）中の符号３２ｃは、一対のテンプル用アーム３２，３３のうち一方のテンプル用アーム３２の下端部に形成され、眼鏡１１の右側のテンプル１１ｂを上記空間３２ｂにスムーズに導くための末広がり部であり、図１１（ｂ）中の符号３３ｃは、一対のテンプル用アーム３２，３３のうち他方のテンプル用アーム３３の下端部に形成され、眼鏡１１の右側のテンプル１１ｂを上記空間３３ｂにスムーズに導くための末広がり部である。
【００２２】
左側の取付具２０の内側枠体２４は、外側枠体２１内を臨む方向から見たときに外側枠体２１内を埋めるように外側枠体２１からその長手方向に突設される（図５）。上記内側枠体２４は、外側枠体２１内にこの外側枠体２１の長手方向の両端に位置する一対の端片２１ａ，２１ｂのうち一方の端片２１ａとともに外側枠体２１より小さい四角枠状に形成される。また、外側枠体２１及び内側枠体２４をこれらの厚さ方向から見たときに、外側枠体２１と内側枠体２４との間に透明フィルム１２の厚さと略同一の隙間が形成されるように内側枠体２４が設けられる（図６及び図８）。更に、内側枠体２４は、外側枠体２１の一部を構成する一方の端片２１ａと、外側枠体２１内を臨む方向から見たときに外側枠体２１の上片２１ｃ及び下片２１ｄに沿いかつ上片２１ｃ及び下片２１ｄから隙間をあけて延びる一対の側片２４ａ，２４ｂと、外側枠体２１内を臨む方向から見たときに外側枠体２１の他方の端片２１ｂに沿いかつ他方の端片２１ｂから隙間をあけて延びる先端片２４ｃとからなる（図５）。
【００２３】
これに対し、右側の取付具３０の内側枠体３４は、左側の取付具２０の内側枠体２４と左右対称に形成される（図５及び図９）。即ち、右側の取付具３０の内側枠体３４は、外側枠体３１内を臨む方向から見たときに外側枠体３１内を埋めるように外側枠体３１からその長手方向に突設される（図９）。上記内側枠体３４は、外側枠体３１内にこの外側枠体３１の長手方向の両端に位置する一対の端片３１ａ，３１ｂのうち一方の端片３１ａとともに外側枠体３１より小さい四角枠状に形成される。また、外側枠体３１及び内側枠体３４をこれらの厚さ方向から見たときに、外側枠体３１と内側枠体３４との間に透明フィルム１２の厚さと略同一の隙間が形成されるように内側枠体３４が設けられる（図１０及び図１２）。更に、内側枠体３４は、外側枠体３１の一部を構成する一方の端片３１ａと、外側枠体３１内を臨む方向から見たときに外側枠体３１の上片３１ｃ及び下片３１ｄに沿いかつ上片３１ｃ及び下片３１ｄから隙間をあけて延びる一対の側片３４ａ，３４ｂと、外側枠体３１内を臨む方向から見たときに外側枠体３１の他方の端片３１ｂに沿いかつ他方の端片３１ｂから隙間をあけて延びる先端片３４ｃとからなる（図９）。
【００２４】
左側の取付具２０のフィルム用アーム２５は、内側枠体２４内を臨む方向から見たときに内側枠体２４内を埋めるように外側枠体２１からその長手方向に突設される（図５）。具体的には、フィルム用アーム２５は、一方の端片２１ａから内側枠体２４内に外側枠体２１の長手方向に突設される。また、外側枠体２１、内側枠体２４及びフィルム用アーム２５をこれらの厚さ方向から見たときに、フィルム用アーム２５は外側枠体２１と同一平面上に設けられる（図６及び図８）。これにより外側枠体２１及びフィルム用アーム２５と内側枠体２４との間に透明フィルム１２の厚さと略同一の隙間が形成されるようにフィルム用アーム２５が設けられる。更に、内側枠体２４内を臨む方向から見たときに、フィルム用アーム２５の両側縁が、内側枠体２４の一対の側片２４ａ，２４ｂに沿いかつ一対の側片２４ａ，２４ｂから隙間をあけて設けられるとともにフィルム用アーム２５の先端面が、内側枠体２４の先端片２４ｃに対向しかつ先端片２４ｃから隙間をあけて設けられる（図５）。
【００２５】
これに対し、右側の取付具３０のフィルム用アーム３５は、左側の取付具２０のフィルム用アーム２５と左右対称に形成される（図５及び図９）。即ち、右側の取付具３０のフィルム用アーム３５は、内側枠体３４内を臨む方向から見たときに内側枠体３４内を埋めるように外側枠体３１からその長手方向に突設される（図９）。具体的には、フィルム用アーム３５は、一方の端片３１ａから内側枠体３４内に外側枠体３１の長手方向に突設される。また、外側枠体３１、内側枠体３４及びフィルム用アーム３５をこれらの厚さ方向から見たときに、フィルム用アーム３５は外側枠体３１と同一平面上に設けられる（図１０及び図１２）。これにより外側枠体３１及びフィルム用アーム３５と内側枠体３４との間に透明フィルム１２の厚さと略同一の隙間が形成されるようにフィルム用アーム３５が設けられる。更に、内側枠体３４内を臨む方向から見たときに、フィルム用アーム３５の両側縁が、内側枠体３４の一対の側片３４ａ，３４ｂに沿いかつ一対の側片３４ａ，３４ｂから隙間をあけて設けられるとともにフィルム用アーム３５の先端面が、内側枠体３４の先端片３４ｃに対向しかつ先端片３４ｃから隙間をあけて設けられる（図９）。
【００２６】
一方、左側の取付具２０の内側枠体２４及びフィルム用アーム２５間に透明フィルム１２の側縁を挿入したときに、内側枠体２４及びフィルム用アーム２５が弾性変形することにより、内側枠体２４及びフィルム用アーム２５間に透明フィルム１２の側縁が係止するように構成される（図８（ｂ））。また、フィルム用アーム２５の先端部の両面のうち内側枠体２４及びフィルム用アーム２５間に挿入された透明フィルム１２に対向する面には、第１係止爪２５ａが突設され、内側枠体２４の先端片２４ｃの両面のうち内側枠体２４及びフィルム用アーム２５間に挿入された透明フィルム１２に対向する面には、第２係止爪２４ｄが突設される（図５、図６及び図８）。更に、内側枠体２４の一対の側片２４ａ，２４ｂのうち内側枠体２４及びフィルム用アーム２５間に挿入された透明フィルム１２に対向する面であって第１係止爪２５ａより一方の端片２１ａ側には、一対の第３係止爪２４ｅ，２４ｅがそれぞれ突設される。
【００２７】
これに対し、右側の取付具３０の内側枠体３４及びフィルム用アーム３５間に透明フィルム１２の側縁を挿入したときに、内側枠体３４及びフィルム用アーム３５が弾性変形することにより、内側枠体３４及びフィルム用アーム３５間に透明フィルム１２の側縁が係止するように構成される（図１２（ｂ））。また、フィルム用アーム３５の先端部の両面のうち内側枠体３４及びフィルム用アーム３５間に挿入された透明フィルム１２に対向する面には、第１係止爪３５ａが突設され、内側枠体３４の先端片３４ｃの両面のうち内側枠体３４及びフィルム用アーム３５間に挿入された透明フィルム１２に対向する面には、第２係止爪３４ｄが突設される（図９、図１０及び図１２）。更に、内側枠体３４の一対の側片３４ａ，３４ｂのうち内側枠体３４及びフィルム用アーム３５間に挿入された透明フィルム１２に対向する面であって第１係止爪３５ａより一方の端片３１ａ側には、一対の第３係止爪３４ｅ，３４ｅがそれぞれ突設される。
【００２８】
このように構成されたフェイスシールド１０の使用方法を説明する。先ず、左側の取付具２０の内側枠体２４及びフィルム用アーム２５間に透明フィルム１２の左側縁を挿入することにより、内側枠体２４及びフィルム用アーム２５間に透明フィルム１２の左側縁を係止させる。このとき、透明フィルム１２が第１〜第３係止爪２５ａ，２４ｄ，２４ｅにより確実に保持されるので、透明フィルム１２が内側枠体２４及びフィルム用アーム２５間から抜けるのを確実に防止できる。次いで、右側の取付具３０の内側枠体３４及びフィルム用アーム３５間に透明フィルム１２の右側縁を挿入することにより、内側枠体３４及びフィルム用アーム３５間に透明フィルム１２の左側縁を係止させる。このとき、透明フィルム１２が第１〜第３係止爪３５ａ，３４ｄ，３４ｅにより確実に保持されるので、透明フィルム１２が内側枠体３４及びフィルム用アーム３５間から抜けるのを確実に防止できる。次に、左側の取付具２０の一対のテンプル用アーム２２，２３を眼鏡１１の左側のテンプル１１ａに係止する。更に、右側の取付具３０の一対のテンプル用アーム３２，３３を眼鏡１１の右側のテンプル１１ｂに係止する。この眼鏡１１を例えば医療従事者が着用することにより、感染者の咳やくしゃみ等により空気中に浮遊するウィルスを含む飛沫が医療従事者の目、鼻又は口から侵入するのを防止できる。
【００２９】
このように構成されたフェイスシールド１０では、視力矯正のための眼鏡の使用者がその眼鏡１１にフェイスシールド１０を取付けても、フェイスシールド１０は極めて軽いので、耳への負担が僅かしか増加しない。また、従来のヘッドバンドで偏光シールドを支持するフェイスガードのように、ヘッドバンドで頭を締め付けることにより頭痛が発生することもない。また、視力矯正のための眼鏡の不使用者の場合、レンズ１１ｃに度が入っていない眼鏡１１やレンズを取外した眼鏡フレーム１１に上記フェイスシールド１０を取付けることにより、フェイスシールド１０を使用できる。更に、一対のテンプル用アーム２２，２３，３２，３３を外側枠体２１，３１の長手方向の両端外側に外側枠体２１，３１の幅方向に延びてそれぞれ設け、内側枠体２４，３４を外側枠体２１，３１内にこの外側枠体２１，３１の長手方向の両端に位置する一対の端片２１ａ，２１ｂ，３１ａ，３１ｂのうち一方の端片２１ａ，３１ａとともに外側枠体２１，３１より小さい四角枠状に形成し、フィルム用アーム２５，３５を内側枠体２４，３４内に一方の端片２１ａ，３１ａから外側枠体２１，３１の長手方向に突設したので、取付具２０，３０を極めてコンパクトに形成することができる。
【符号の説明】
【００３０】
１０  フェイスシールド
１１  眼鏡
１１ａ，１１ｂ  テンプル
１２  透明フィルム
２０，３０  取付具
２１，３１  外側枠体
２１ａ，３１ａ  一方の端片
２１ｂ，３１ｂ  他方の端片
２２，２３，３２，３３  テンプル用アーム
２４，３４  内側枠体
２４ａ，２４ｂ，３４ａ，３４ｂ  側片
２４ｃ，３４ｃ  先端片
２４ｄ，３４ｄ  第２係止爪
２４ｅ，３４ｅ  第３係止爪
２５，３５  フィルム用アーム
２５ａ，３５ａ  第１係止爪
【図１】
0003227839.tif 000003
【図２】
0003227839.tif 000004
【図３】
0003227839.tif 000005
【図４】
0003227839.tif 000006
【図５】
0003227839.tif 000007
【図６】
0003227839.tif 000008
【図７】
0003227839.tif 000009
【図８】
0003227839.tif 000010
【図９】
0003227839.tif 000011
【図１０】
0003227839.tif 000012
【図１１】
0003227839.tif 000013
【図１２】
0003227839.tif 000014